(57)【要約】【課題】媒体のページレイアウト作業の効率化を図り、労力的負担を軽減することを可能とする媒体レイアウト支援システムを提供する。【解決手段】サーバ１０１は、データベース管理手段１１１、商品情報データベース３０１、掲載情報データベース３０２、レイアウト履歴情報データベース３０３を備え、クライアント端末１０３は、商品情報検索手段１２１、ページ割付手段１２２、割付情報記録手段１２３、割付結果出力手段１２４、媒体制作データ出力手段１２５、レイアウト履歴情報検索手段１２６、レイアウト履歴情報記録手段１２７を備える。クライアント端末１０３は、選択した商品についてサーバ１０１からページレイアウト履歴情報を取得して表示し、ページレイアウト処理を行う。【選択図】図１
2007265195.tif 000002
【特許請求の範囲】
【請求項１】
商品情報を保持する商品情報データベースと前記商品情報のページ割付に関する割付情報を保持する掲載情報データベースとを備えるサーバにネットワークを介して接続されるページレイアウト装置であって、
前記サーバを介して、前記商品情報データベースを検索する商品情報検索手段と、
前記商品情報を所定のページレイアウトで割り付けるページ割付手段と、
前記サーバを介して、前記ページ割付手段が作成した割付情報を前記掲載情報データベースに登録する割付情報記録手段と、
前記ページ割付手段が作成した割付情報に基づいて割付結果または媒体制作に必要な媒体制作データを出力する出力手段と、
前記サーバを介して、前記ページ割付手段が作成した割付情報の履歴をレイアウト履歴情報としてレイアウト履歴情報データベースに登録するレイアウト履歴情報記録手段と、
前記サーバを介して、選択した商品情報について前記レイアウト履歴情報データベースを検索するレイアウト履歴情報検索手段と、
を具備することを特徴とするページレイアウト装置。
【請求項２】
前記割付手段は、過去の前記レイアウト履歴情報に基づいて、前記所定のレイアウトを設定することを特徴とする請求項１に記載のページレイアウト装置。
【請求項３】
前記所定のページレイアウトは、掲載サイズを含むことを特徴とする請求項１または請求項２に記載のページレイアウト装置。
【請求項４】
商品情報を保持する商品情報データベースと前記商品情報のページ割付に関する割付情報を保持する掲載情報データベースとを備えるサーバと前記サーバにネットワークを介して接続するページレイアウト装置とから構成される媒体レイアウト支援システムであって、
前記商品情報データベースを検索する商品情報検索手段と、
前記商品情報を所定のページレイアウトで割り付けるページ割付手段と、
前記ページ割付手段が作成した割付情報を前記掲載情報データベースに登録する割付情報記録手段と、
前記ページ割付手段が作成した割付情報に基づいて割付結果または媒体制作に必要な媒体制作データを出力する出力手段と、
前記ページ割付手段が作成した割付情報の履歴をレイアウト履歴情報としてレイアウト履歴情報データベースに登録するレイアウト履歴情報記録手段と、
選択した商品情報について前記レイアウト履歴情報データベースを検索するレイアウト履歴情報検索手段と、
を具備することを特徴とする媒体レイアウト支援システム。
【請求項５】
前記割付手段は、過去の前記レイアウト履歴情報に基づいて、前記所定のレイアウトを設定することを特徴とする請求項４に記載の媒体レイアウト支援システム。
【請求項６】
前記所定のページレイアウトは、掲載サイズを含むことを特徴とする請求項４または請求項５に記載の媒体レイアウト支援システム。
【請求項７】
コンピュータを請求項１から請求項３までのいずれかに記載のページレイアウト装置として機能させるプログラム。
【請求項８】
コンピュータを請求項１から請求項３までのいずれかに記載のページレイアウト装置として機能させるプログラムを記録したコンピュータ読取可能な記録媒体。
【発明の詳細な説明】
【技術分野】
【０００１】
本発明は、ネットワークを利用して商品情報データベースと連携し、情報媒体に商品情報のページレイアウトを行う媒体レイアウト支援システムに関する。
【背景技術】
【０００２】
近年、コンピュータの普及に伴い、カタログに載せる商品データをデータベース化して利用することにより、媒体制作が行われている。得意先を含めた形態で、データベースと連携して制作作業を行うことができるデスクトップパブリッシング（ＤＴＰ）作業と親和性の高い媒体制作システムが運用され、媒体制作作業の効率化が図られている。
【０００３】
また、商品情報データベースとページ毎の割付情報を保持する掲載情報データベースとを備え、ページレイアウト作業の効率化を図る媒体制作情報システムが提案されている（例えば、［特許文献１］参照。）。
【０００４】
【特許文献１】特開２００４−２２０５４８号公報
【発明の開示】
【発明が解決しようとする課題】
【０００５】
しかしながら、従来のシステムにおける媒体のページレイアウト作業では、商品情報データベースから掲載商品を検索するが、検索結果として商品情報を取得することができるが、過去のページレイアウトに関する情報を取得することができないという問題点がある。
例えば、前回の掲載サイズを知りたい場合には実際に前回のカタログを手めくりして参照する必要があり、労力的負担が増大するという問題点がある。
【０００６】
本発明は、以上の問題点に鑑みてなされたものであり、媒体のページレイアウト作業の効率化を図り、労力的負担を軽減することを可能とする媒体レイアウト支援システムを提供することを目的とする。
【課題を解決するための手段】
【０００７】
前述した目的を達成するために第１の発明は、商品情報を保持する商品情報データベースと前記商品情報のページ割付に関する割付情報を保持する掲載情報データベースとを備えるサーバにネットワークを介して接続されるページレイアウト装置であって、前記サーバを介して、前記商品情報データベースを検索する商品情報検索手段と、前記商品情報を所定のページレイアウトで割り付けるページ割付手段と、前記サーバを介して、前記ページ割付手段が作成した割付情報を前記掲載情報データベースに登録する割付情報記録手段と、前記ページ割付手段が作成した割付情報に基づいて割付結果または媒体制作に必要な媒体制作データを出力する出力手段と、前記サーバを介して、前記ページ割付手段が作成した割付情報の履歴をレイアウト履歴情報としてレイアウト履歴情報データベースに登録するレイアウト履歴情報記録手段と、前記サーバを介して、選択した商品情報について前記レイアウト履歴情報データベースを検索するレイアウト履歴情報検索手段と、を具備することを特徴とするページレイアウト装置である。
【０００８】
また、ページレイアウト装置は、過去のレイアウト履歴情報に基づいて、所定のレイアウトを設定するようにしてもよい。所定のページレイアウトは、例えば、掲載サイズである。
【０００９】
「商品情報」は、商品の文字情報（スペックなど）や、商品の素材情報（画像情報）等からなる。
「割付情報」は、コマの位置とサイズと関連付けられる商品情報を有するコマ情報を含む。コマは、各ページにおける掲載枠あるいは掲載領域である。
「情報媒体（媒体）」は、具体的には、チラシやカタログ等をいう。紙に印刷されるか、デジタルデータで利用されるかは問わない。
「ページ」は情報媒体を構成し、少なくとも１つ以上の「コマ（掲載領域）」を有する。「コマ（掲載領域）」には１つの商品情報が掲載される。
【００１０】
第１の発明では、サーバは、ページレイアウト履歴情報データベースを備え、クライアント端末は、選択した商品についてサーバからページレイアウト履歴情報を取得して表示し、ページレイアウト処理を行う。
これにより、過去のレイアウト履歴情報に基づいてページレイアウト処理を行い、迅速に適切な掲載サイズ等を設定することができ、ページレイアウトの再修正や校正作業に係る労力的負担を軽減することができる。ＤＴＰ作業において無駄を排除し効率性を向上させることができる。
【００１１】
第２の発明は、商品情報を保持する商品情報データベースと前記商品情報のページ割付に関する割付情報を保持する掲載情報データベースとを備えるサーバと前記サーバにネットワークを介して接続するページレイアウト装置とから構成される媒体レイアウト支援システムであって、前記商品情報データベースを検索する商品情報検索手段と、前記商品情報を所定のページレイアウトで割り付けるページ割付手段と、前記ページ割付手段が作成した割付情報を前記掲載情報データベースに登録する割付情報記録手段と、前記ページ割付手段が作成した割付情報に基づいて割付結果または媒体制作に必要な媒体制作データを出力する出力手段と、前記ページ割付手段が作成した割付情報の履歴をレイアウト履歴情報としてレイアウト履歴情報データベースに登録するレイアウト履歴情報記録手段と、選択した商品情報について前記レイアウト履歴情報データベースを検索するレイアウト履歴情報検索手段と、を具備することを特徴とする媒体レイアウト支援システムである。
【００１２】
第２の発明は、ページレイアウト装置とデータベース管理を行い商品情報やページ割付情報を提供するサーバとから構成される媒体レイアウト支援システムに関する発明である。
【００１３】
第３の発明は、コンピュータを第１の発明のページレイアウト装置として機能させるプログラムである。
第４の発明は、コンピュータを第１の発明のページレイアウト装置として機能させるプログラムを記録したコンピュータ読取可能な記録媒体である。
上述のプログラムをＣＤ−ＲＯＭ等の記録媒体に保持させて流通させてもよいし、このプログラムを通信回線を介して送受することもできる。
【発明の効果】
【００１４】
本発明によれば、媒体のページレイアウト作業の効率化を図り、労力的負担を軽減することを可能とする媒体レイアウト支援システムを提供することができる。
【発明を実施するための最良の形態】
【００１５】
以下、添付図面を参照しながら、媒体レイアウト支援システムの好適な実施形態について詳細に説明する。なお、以下の説明及び添付図面において、略同一の機能構成を有する構成要素については、同一の符号を付することにより重複説明を省略することにする。
【００１６】
（１．媒体レイアウト支援システムの構成）
最初に、図１を参照しながら、媒体レイアウト支援システム１００の構成について説明する。
図１は、媒体レイアウト支援システム１００の構成図である。
媒体レイアウト支援システム１００は、サーバ１０１、複数のクライアント端末１０３がネットワーク１０９を介して接続されて構成される。
尚、媒体は、情報媒体を示し、例えば、商品カタログやチラシ、商取引のための企画書や提案書である。また、媒体は、紙媒体あるいは電子データを問わない。
【００１７】
サーバ１０１は、サーバコンピュータ等であり、データベース管理手段１１１を有する。データベース管理手段１１１は、データベースエンジンである。データベース管理手段１１１は、クライアント端末１０３からの要求に応じて、商品情報データベース３０１及び掲載情報データベース３０２及びレイアウト履歴情報データベース３０３への検索、参照、登録、削除等の各種要求に対する処理を行う。
【００１８】
クライアント端末１０３は、パーソナルコンピュータ、携帯型端末機（Ｐｅｒｓｏｎａｌ  Ｄｉｇｉｔａｌ  Ａｓｓｉｓｔａｎｔ）等である。クライアント端末１０３は、ページレイアウト装置であり、サーバ１０１の商品情報データベース３０１や掲載情報データベース３０２やレイアウト履歴情報データベース３０３を利用し、チラシやカタログ等の媒体制作時におけるページレイアウト及び商品割り付け処理を行う。
【００１９】
クライアント端末１０３は、商品情報検索手段１２１、ページ割付手段１２２、割付情報記録手段１２３、割付結果出力手段１２４、媒体制作データ出力手段１２５、レイアウト履歴情報検索手段１２６、レイアウト履歴情報記録手段１２７を有する。
【００２０】
商品情報検索手段１２１は、商品情報データベース３０１に対する商品情報の検索要求をサーバ１０１に送信する。
ページ割付手段１２２は、検索結果である商品情報群から選択された商品情報をコマ（掲載領域）に割り付ける。
割付情報記録手段１２３は、作成した割付情報を、サーバ１０１を介して掲載情報データベース３０２に登録、保持する。
割付結果出力手段１２４は、割付情報に基づいて割付結果を印刷出力する。
媒体制作データ出力手段１２５は、割付情報から媒体の制作に必要なテキストデータを出力する。
レイアウト履歴情報検索手段１２６は、選択された商品情報について、レイアウト履歴情報データベース３０３に対するレイアウト履歴情報の検索要求をサーバ１０１に送信する。
レイアウト履歴情報記録手段１２７は、レイアウト履歴情報を、サーバを介してレイアウト履歴情報データベース３０３に登録、保持する。
【００２１】
ネットワーク１０９は、インターネット、ローカルエリアネットワーク（ＬＡＮ）、社内ＬＡＮ等のネットワークであり、有線、無線を問わない。
【００２２】
尚、本実施の形態の媒体レイアウト支援システム１００は、ＷＷＷ（Ｗｏｒｌｄ  Ｗｉｄｅ  Ｗｅｂ）技術を用いて実現し、サーバ１０１はＷｅｂサーバを、クライアント端末１０３はＷｅｂブラウザを搭載し、サーバ１０１とクライアント端末１０３は、それぞれ、Ｗｅｂサーバ及びＷｅｂブラウザを介してデータの送受信を行う。
【００２３】
（２．サーバ１０１）
（２−１．ハードウェア構成）
次に、図２を参照しながら、サーバ１０１のハードウェア構成を説明する。
図２は、サーバ１０１のハードウェア構成図である。
【００２４】
サーバ１０１は、制御部２０１、記憶部２０２、メディア入出力部２０３、通信制御部２０４、入力部２０５、表示部２０６、印刷部２０７がシステムバス２０９を介して接続されて構成される。
【００２５】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２６】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う各種データベース管理処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００２７】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う各種データベース管理処理に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００２８】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００２９】
通信制御部２０４は、通信制御装置、通信ポート等を有し、サーバ１０１とネットワーク１０９間の通信を媒介する通信インタフェースであり、ネットワーク１０９を介して、サーバ１０１と、クライアント端末１０３間の通信制御を行う。
【００３０】
入力部２０５は、データの入力を行い、例えば、キーボード、マウス等のポインティングデバイス、テンキー等の入力装置を有する。
入力部２０５を介して、サーバ１０１に対して、操作指示、動作指示、データ入力等を行うことができる。
【００３１】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
印刷部２０７は、プリンタであり、印刷出力処理を行う。
システムバス２０９は、各装置間の制御信号、データ信号等の授受を媒介する経路である。
【００３２】
（２−２．記憶部２０２が保持する情報）
次に、図３及び図４を参照しながら、サーバ１０１の記憶部２０２が保持する情報について説明する。
図３は、記憶部２０２が保持する情報を示す図である。
図４は、商品情報データベース３０１及び掲載データベース３０２及びレイアウト履歴情報データベース３０３のデータ構造を示す図である。
【００３３】
記憶部２０２には、複数の商品情報データベース３０１、掲載情報データベース３０２、レイアウト履歴情報データベース３０３、制御プログラム３９１、アプリケーションプログラム３９２が格納される。
制御プログラム３９１は、サーバ１０１の各構成部分を駆動制御するプログラムであり、ＯＳ（オペレーティングシステム）に相当する。
アプリケーションプログラム３９２は、サーバ１０１が備えるデータ管理手段１１１に相当する実行可能プログラムである。
【００３４】
（２−３．商品情報データベース３０１）
商品情報データベース３０１は、複数の商品情報３１０からなる。尚、サーバ１０１が管理する商品情報データベース３０１は、必要に応じて、複数存在してもよい。
商品情報３１０は、商品情報ＩＤ、商品のスペック情報３１１（文字情報）、商品の素材情報３１２（画像情報）からなる。
尚、商品情報データベース３０１のデータ構成は、この構成に限られるものではない。
【００３５】
（２−４．掲載情報データベース３０２）
掲載情報データベース３０２は、クライアント端末１０３により作成される割付情報３２０からなる。
割付情報３２０は、カタログやチラシ等の情報媒体を構成するページ２１毎のページレイアウトの情報であり、マスタ情報３２１、少なくとも１つのコマ情報３２３からなる。
【００３６】
マスタ情報３２１は、マスタＩＤ、情報媒体名、サイズ、発刊日等からなる。
コマ情報３２３は、マスタＩＤ、コマＩＤ、コマサイズ、コマ位置情報（例えば、コマ左下座標、コマ座標右上座標）、掲載する商品情報ＩＤ、担当のユーザ情報ＩＤ等からなる。
尚、掲載情報データベース３０２のデータ構成は、この構成に限られるものではない。
【００３７】
（２−５．レイアウト履歴情報データベース３０３）
レイアウト履歴情報データベース３０３は、レイアウト履歴情報３３０からなる。
レイアウト履歴情報３３０は、ページレイアウトの履歴に関する情報であり、日時情報３３１、商品情報ＩＤ３３２、割付情報ＩＤ３３３からなる。日時情報３３１は、情報媒体の発行時点を示す情報である。日時情報３３１として割付情報３２０やページレイアウト履歴情報３３０が作成された日時を用いることもできる。商品情報ＩＤ３３２によりレイアウト履歴情報３３０と商品情報３１０とがリレーションされる。割付情報３３３によりレイアウト履歴情報３３０と割付情報３２０とがリレーションされる。
尚、ページレイアウト履歴情報３３０のデータ構成は、この構成に限られるものではない。
【００３８】
（２−６．ページレイアウトの情報）
図５は、ページレイアウトの情報のデータ構成を示す図である。
作成するページレイアウトの情報は、ページ２１、コマ（掲載領域）２３の階層構造でデータを管理する。
ページ２１は情報媒体を構成し、ページ２１上に少なくとも１つ以上のコマ２３を有する。コマ２３には、１つの商品情報３１０が掲載される。
【００３９】
（３．クライアント端末１０３）
（３−１．ハードウェア構成）
次に、図６を参照しながら、クライアント端末１０３のハードウェア構成について説明する。
図６は、クライアント端末１０３のハードウェア構成図である。
【００４０】
クライアント端末１０３は、制御部４０１、記憶部４０２、通信制御部４０３、メディア入出力部４０４、入力部４０５、表示部４０６、印刷部４０７等が、システムバス４０９を介して接続される。
クライアント端末１０３のハードウェア構成は、図２について前述したサーバ１０１と同様の構成を採る。
【００４１】
尚、記憶部４０２には、プログラムに関しては、ＯＳ（オペレーティングシステム）に相当する制御プログラム３９１や、本コンピュータを適用するクライアント端末１０３が行う後述の処理に相当する（図７及び図８参照）実行可能プログラムであり、商品情報検索手段１２１、ページ割付手段１２２、割付情報記録手段１２３、割付結果出力手段１２４、媒体制作データ出力手段１２５、レイアウト履歴情報検索手段１２６、レイアウト履歴情報記録手段１２７に該当するページレイアウト処理プログラムである。これらの各プログラムコードは、制御部４０１により必要に応じて読み出されてＲＡＭに移され、ＣＰＵに読み出されて各種の手段として実行される。
【００４２】
（４．動作）
次に、図７〜図１２を参照しながら、媒体レイアウト支援システム１００の動作について説明する。
図７及び図８は、媒体レイアウト支援システム１００におけるページレイアウト処理を示すフローチャートである。
【００４３】
クライアント端末１０３の記憶部４０２には、アプリケーションプログラム３９２であるページレイアウト処理プログラムがインストールされており、以下のクライアント端末１０３のページレイアウト処理（商品情報検索手段１２１、ページ割付手段１２２、割付情報記録手段１２３、割付結果出力手段１２４、媒体制作データ出力手段１２５、レイアウト履歴情報検索手段１２６、レイアウト履歴情報記録手段１２７）は、クライアント１０３の制御部４０１によって行われる。
サーバ１０１の記憶部２０２には、アプリケーションプログラム３９２であるデータベース管理プログラムがインストールされている。以下のサーバ１０１の処理は、このデータベース管理プログラムの制御に従って、サーバ１０１の制御部２０１によって行われる。
【００４４】
クライアント端末１０３の制御部４０１は、サーバ１０１にアクセスし、商品情報データベース３０１にログイン要求を行う（ステップＳ７０１）。
【００４５】
例えば、クライアント端末１０３から、サーバ１０１の所定のＵＲＬを指定してサーバ１０１にアクセスし、サーバ１０１の制御部２０１は、ログイン画面データをクライアント端末１０３に送信する。クライアント端末１０３の制御部４０１は、ログイン画面（図示せず）に従って、入力されたユーザＩＤ、パスワード、サーバ名をサーバ１０１に送信する。
【００４６】
サーバ１０１の制御部２０１は、受け取ったユーザＩＤ、パスワード等からユーザ認証を行い、正しくユーザ認証された場合、指定されたサーバ名に応じた商品情報データベース３０１を設定、接続する（ステップＳ７０２）。
【００４７】
クライアント端末１０３の制御部４０１は、レイアウト画面１０を表示する（ステップＳ７０３）。制御部４０１は、サーバ１０１から掲載情報データベース３０２の既存のカタログの割付情報３２０を読み込み、読み込んだ情報からレイアウト画面１０を作成して表示する。
【００４８】
図９は、レイアウト画面１０を示す図である。
レイアウト画面１０には、カタログツリー１１、カタログリスト１２、レイアウトエリア１３、掲載リスト１４、メニューバー１５等が表示される。
【００４９】
カタログツリー１１は、マスタ情報３２１に基づいたカタログのツリー構造を表す。
カタログリスト１２は、カタログツリー１１の中から選択されたフォルダに含まれるカタログ情報１６を示すカタログ一覧を表示する。カタログ情報１６は、割付情報３２０のマスタ情報３２１であるカタログ名、サイズ、発刊日等からなる。
レイアウトエリア１３は、レイアウト作業を行うエリアである。
掲載リスト１４は、レイアウトエリア１３に表示されたページ２１のコマ２３に配置された商品情報ＩＤ、コマサイズ等を示すコマ情報レコード１７からなる。
メニューバー１５は、ページレイアウト装置１０３の様々な操作を行うためのメニューを呼び出すインタフェースである。例えば、商品情報データベース３０１に対して検索を行う場合は、メニューバー１５の「検索」をプルダウンして検索ダイアログを呼び出す。
【００５０】
クライアント端末１０３の制御部４０１は、カタログリスト１２からの所望するカタログ情報１６の選択により、該当するマスタ情報３２１に基づき、レイアウトエリア１３上に作業を行うページ２１を表示する（ステップＳ７０４）。
【００５１】
図１０は、（１）商品検索〜（６）割付結果表示における、クライアント端末１０３の画面遷移図である。
制御部４０１は、検索機能により指定された検索条件４１の商品情報検索要求をサーバ１０１に送信する（ステップＳ７０５）（図１０（１）商品検索）。
利用者は、レイアウト画面１０上のメニューバー１５の「検索」をプルダウンして表示された検索メニュー（図示せず）から検索機能を選択し、制御部４０１は、商品検索画面４０を表示し、指定された検索条件４１の商品情報検索要求を送信する。
【００５２】
サーバ１０１の制御部２０１は、指定された検索条件４１に基づいて、商品情報データベース３０１から商品情報３１０を検索し、検索結果データを送信する（ステップＳ７０６）。
【００５３】
クライアント端末１０３の制御部４０１は、受け取った検索結果データである商品情報レコード５２からなる検索結果リスト５１を商品検索結果画面５０に表示する（ステップＳ７０７）（図１０（２）商品検索結果表示）。
ステップＳ７０５からステップＳ７０７の処理は、商品情報検索手段１２１に相当する。
【００５４】
利用者は、商品検索結果画面５０上の検索結果リスト５１から使用する商品情報レコード５２を選択して「履歴表示」ボタン５３を押下する（ステップＳ７０８）。制御部４０１は、選択された商品レコード５２の商品について、レイアウト履歴情報検索要求を送信する（ステップＳ７０９）（図１０（３）商品選択）。
サーバ１０１の制御部２０１は、選択された商品レコード５２の商品について、レイアウト履歴情報データベース３０３からレイアウト履歴情報３３０を検索し、検索結果データを送信する（ステップＳ７１０）。
クライアント端末１０３の制御部４０１は、受け取った検索結果データに基づいてレイアウト履歴画面６０を表示する（ステップＳ７１１）（図１０（４）レイアウト履歴表示）。
ステップＳ７０８からステップＳ７１１の処理は、レイアウト履歴情報検索手段１２６に相当する。
【００５５】
図１１は、レイアウト履歴情報３３０の一態様を示す図である。
図１２は、レイアウト履歴画面６０を示す図である。
選択された商品（「商品Ａ」）についてレイアウト履歴情報３３０−１〜３３０−３がレイアウト履歴情報データベース３０３に記録されている場合、各レイアウト履歴情報３３０−１〜３３０−３に対応するレイアウト履歴レコード６２−１〜６２−３がレイアウト履歴画面６０に表示される。尚、フィールド６４には掲載情報データベース３０２から取得した情報（商品名や価格）が表示され、フィールド６５には商品情報データベース３０１から取得した情報（カタログ名や掲載ページや掲載サイズ）が表示される。
【００５６】
利用者は、レイアウト履歴画面６０で掲載サイズを採用するレイアウト履歴レコード６２を選択して「掲載サイズ採用」ボタン６３を押下する。制御部４０１は、選択されたレイアウト履歴レコード６２の掲載サイズ７１を設定して、商品検索結果画面５０に表示する（ステップＳ７１２）（図１０（５）掲載サイズ設定）。
制御部４０１は、設定した掲載サイズ７１に対応するコマ２３に商品情報の割付を行い（ステップＳ７１３）、商品情報の割付結果をレイアウト画面１０のレイアウトエリア１３に表示する（ステップＳ７１４）（図１０（６）割付結果表示）。
ステップＳ７１２〜ステップＳ７１４の処理は、ページ割付手段１２２に相当する。
【００５７】
商品割付が全て終了すると、制御部４０１は、作成した割付情報３２０を掲載情報データベース３０２に登録、保存要求を送信する（ステップＳ７１５）。
サーバ１０１の制御部２０１は、受け取った割付情報３２０を掲載情報データベース３０２に登録、保存する（ステップＳ７１６）。
ステップＳ７１５及びステップＳ７１６の処理は、割付情報記録手段１２３に相当する。
【００５８】
サーバ１０１の制御部２０１は、レイアウト履歴情報３３０を作成し、レイアウト履歴情報データベース３０３に登録、保存する（ステップＳ７１７）。尚、クライアント端末１０３側でレイアウト履歴情報３３０を作成し、サーバ１０１側に送って登録、保存するようにしてもよい。
ステップＳ７１７の処理は、レイアウト履歴情報記録手段１２７に相当する。
【００５９】
クライアント端末１０３の制御部４０１は、割付結果出力手段１２４に相当する割付結果出力機能として、サーバ１０１に対して、商品情報データベース３０１に対するコマ情報３２３の関連付けられる商品情報ＩＤの商品情報取得要求を送信し、サーバ１０１から取得した商品情報３１０の項目値（スペック情報３１１及び素材情報３１２）を各コマ２３に配置して作成した割付結果データを印刷出力する。この出力物は、後の工程であるＤＴＰ作業の作業者への指示書として利用することができる。
【００６０】
また、制御部４０１は、媒体制作データ出力手段１２５に相当する媒体制作データ出力機能として、同様にサーバ１０１から取得した商品情報３１０の項目値（スペック情報３１１及び素材情報３１２）からテキストデータを作成し、出力する。出力したテキストデータは、ＤＴＰ作業で流し込みに利用することができる。
【００６１】
（５．効果等）
以上説明したように、本発明の実施の形態によれば、サーバは、ページレイアウト履歴情報データベースを備え、クライアント端末は、選択した商品についてサーバからページレイアウト履歴情報を取得して表示し、ページレイアウト処理を行う。
【００６２】
これにより、過去のレイアウト履歴情報に基づいてページレイアウト処理を行い、迅速に適切な掲載サイズ等を設定することができ、ページレイアウトの再修正や校正作業に係る労力的負担を軽減することができる。ＤＴＰ作業において無駄を排除し効率性を向上させることができる。
【００６３】
利用者は、商品情報の検索結果リストからレイアウト履歴を参照したい商品を選択してレイアウト履歴表示を指示することで、選択した商品のレイアウト履歴情報が表示される。新たにレイアウトを作成する場合には、レイアウト履歴情報を呼び出し参照することで、前回やそれ以前のレイアウトを参考にページレイアウトを組み立てることができる。
【００６４】
尚、本実施の形態では、サーバ１０１は、データベース管理手段１１１、商品情報データベース３０１、掲載情報データベース３０２、レイアウト履歴情報データベース３０３を備え、クライアント端末１０３は、商品情報検索手段１２１、ページ割付手段１２２、割付情報記録手段１２３、割付結果出力手段１２４、媒体制作データ出力手段１２５、レイアウト履歴情報検索手段１２６、レイアウト履歴情報記録手段１２７を備え、クライアント端末１０３は、これらの実行可能プログラムであるページレイアウトプログラムを起動し、サーバ１０１側のデータベース管理手段１１１を介して、商品情報データベース３０１や掲載情報データベース３０２やレイアウト履歴情報データベース３０３にアクセスしながら、ページレイアウト処理を行うものとして説明したが、これに限られない。サーバ１０１側に、ページレイアウトプログラムを搭載し、クライアント端末１０３からサーバ１０１のアプリケーションとしてページレイアウト手段を起動してもよい。
【００６５】
以上、添付図面を参照しながら、本発明に係る媒体レイアウト支援システムの好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００６６】
【図１】媒体レイアウト支援システム１００の構成図
【図２】サーバ１０１のハードウェア構成図
【図３】記憶部２０２が保持する情報を示す図
【図４】商品情報データベース３０１と掲載データベース３０２のデータ構造を示す図
【図５】ページレイアウトの情報のデータ構成を示す図
【図６】クライアント端末１０３のハードウェア構成図
【図７】ページレイアウト処理を示すフローチャート
【図８】ページレイアウト処理を示すフローチャート
【図９】レイアウト画面１０を示す図
【図１０】クライアント端末１０３の画面遷移図
【図１１】レイアウト履歴情報３３０の一態様を示す図
【図１２】レイアウト履歴画面６０を示す図
【符号の説明】
【００６７】
１００………媒体レイアウト支援システム
１０１………サーバ
１０３………クライアント端末（ページレイアウト装置）
１０９………ネットワーク
１１１………データベース管理手段
１２１………商品情報検索要求手段
１２２………ページ割付手段
１２３………割付情報記録手段
１２４………割付結果出力手段
１２５………媒体制作データ出力手段
１２６………レイアウト履歴情報検索手段
１２７………レイアウト履歴情報記録手段
２０１、４０１………制御部
２０２、４０２………記憶部
３０１………商品情報データベース
３０２………掲載情報データベース
３０３………レイアウト履歴情報データベース
３１０………商品情報
３１１………スペック情報（文字情報）
３１２………素材情報（画像情報）
３２０………割付情報
３２１………マスタ情報
３２３………コマ情報
３３０………レイアウト履歴情報
３３１………日時情報
３３２………商品情報ＩＤ
３３３………割付情報ＩＤ
１２………カタログリスト
１３………レイアウトエリア
１４………掲載リスト
２１………ページ
２３………コマ（掲載領域）
６０………レイアウト履歴画面
７１………掲載サイズ
【図１】
2007265195.tif 000003
【図２】
2007265195.tif 000004
【図３】
2007265195.tif 000005
【図４】
2007265195.tif 000006
【図５】
2007265195.tif 000007
【図６】
2007265195.tif 000008
【図７】
2007265195.tif 000009
【図８】
2007265195.tif 000010
【図９】
2007265195.tif 000011
【図１０】
2007265195.tif 000012
【図１１】
2007265195.tif 000013
【図１２】
2007265195.tif 000014